【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
高さ方向に延びる態様の本体部と、
前記本体部の少なくとも右方向または左方向に延びる態様で設けられるバー部と、
前記本体部が被験者の脊柱に沿って配置されるとともに、前記バー部が当該バー部に対応する右または左の肩甲骨の２つの所定箇所のそれぞれの高さ位置に合うように前記本体部において変位され、
前記バー部に対する前記所定箇所の位置が計測されることにより、前記所定箇所の水平方向のＸ軸上での位置が測定されるとともに、
前記本体部に対する前記バー部の位置が計測されることにより、前記所定箇所の高さ方向のＹ軸上での位置が測定され、
前記所定箇所のＸ軸・Ｙ軸上での位置変化が前記２つの所定箇所のそれぞれについて測定されることによって、前記肩甲骨の水平方向および高さ方向の位置変化が測定されることを特徴とする肩甲骨位置測定器具。
【請求項２】
高さ方向に延びる態様の本体部と、
前記本体部の右方向に延びる態様で設けられる右側バー部と、
前記本体部の左方向に延びる態様で設けられる左側バー部と、
前記本体部が被験者の脊柱に沿って配置されるとともに、前記右側バー部が右肩甲骨の２つの所定箇所のそれぞれの高さ位置に合うように前記本体部において変位され、前記左側バー部が左肩甲骨の２つの所定箇所の高さ位置に合うように前記本体部において変位され、
前記右側バー部に対する前記右肩甲骨の所定箇所の位置が計測されることにより、前記右肩甲骨の所定箇所の水平方向のＸ軸上での位置が測定されるとともに、
前記本体部に対する前記右側バー部の位置が計測されることにより、前記右肩甲骨の所定箇所の高さ方向のＹ軸上での位置が測定され、
前記左側バー部に対する前記左肩甲骨の所定箇所の位置が計測されることにより、前記左肩甲骨の所定箇所の水平方向のＸ軸上での位置が測定されるとともに、
前記本体部に対する前記左側バー部の位置が計測されることにより、前記左肩甲骨の所定箇所の高さ方向のＹ軸上での位置が測定され、
前記右肩甲骨および前記左肩甲骨の所定箇所のＸ軸・Ｙ軸上での位置変化が前記２つの所定箇所のそれぞれについて測定されることによって、前記右肩甲骨および前記左肩甲骨の水平方向および高さ方向の位置変化が測定されることを特徴とする肩甲骨位置測定器具。
【請求項３】
前記バー部に、水平方向に摺動されることにより測定位置を指示するバー部用指示部材が設けられる
請求項１又は請求項２に記載の肩甲骨位置測定器具。
【請求項４】
前記本体部または前記バー部に位置測定手段が設けられ、
前記バー部に対する右または左の肩甲骨の所定箇所の位置が前記位置測定手段で計測されることにより、前記肩甲骨の所定箇所の水平方向のＸ軸上での位置が測定されるとともに、
前記本体部に対する前記バー部の位置が前記位置測定手段で計測されることにより、前記肩甲骨の所定箇所の高さ方向のＹ軸上での位置が測定され、
前記位置測定手段により測定された測定値または当該測定値に基づいて測定された前記肩甲骨の水平方向および高さ方向の位置変化を表示する測定値表示部が設けられた
請求項１から請求項３のいずれかに記載の肩甲骨位置測定器具。
【請求項５】
高さ方向に延びる態様の本体部と、前記本体部の右方向または左方向に延びる態様で設けられるバー部とを備える肩甲骨位置測定器具を用いた肩甲骨測定方法であって、
前記肩甲骨測定器具の本体部を被験者の脊柱に沿って配置するとともに、前記バー部を当該バー部に対応する右または左の肩甲骨の２つの所定箇所のそれぞれの高さ位置に合うように前記本体部において変位させ、
前記バー部に対する前記所定箇所の位置を計測することにより、前記所定箇所の水平方向のＸ軸上での位置を測定するとともに、
前記本体部に対する前記バー部の位置を計測することにより、前記所定箇所の高さ方向のＹ軸上での位置を測定し、
前記所定箇所のＸ軸・Ｙ軸上での位置変化を前記２つの所定箇所のそれぞれについて測定することによって、前記肩甲骨の水平方向および高さ方向の位置変化を測定することを特徴とする肩甲骨位置測定方法。
【手続補正２】
【補正対象書類名】明細書
【補正対象項目名】０００９
【補正方法】変更
【補正の内容】
【０００９】
本発明は、高さ方向に延びる態様の本体部と、前記本体部の少なくとも右方向または左方向に延びる態様で設けられるバー部と、前記本体部が被験者の脊柱に沿って配置されるとともに、前記バー部が当該バー部に対応する右または左の肩甲骨の２つの所定箇所のそれぞれの高さ位置に合うように前記本体部において変位され、前記バー部に対する前記所定箇所の位置が計測されることにより、前記所定箇所の水平方向のＸ軸上での位置が測定されるとともに、前記本体部に対する前記バー部の位置が計測されることにより、前記所定箇所の高さ方向のＹ軸上での位置が測定され、前記所定箇所のＸ軸・Ｙ軸上での位置変化が前記２つの所定箇所のそれぞれについて測定されることによって、前記肩甲骨の水平方向および高さ方向の位置変化が測定されることを特徴とする。
又、本発明は、高さ方向に延びる態様の本体部と、前記本体部の右方向に延びる態様で設けられる右側バー部と、前記本体部の左方向に延びる態様で設けられる左側バー部と、前記本体部が被験者の脊柱に沿って配置されるとともに、前記右側バー部が右肩甲骨の２つの所定箇所のそれぞれの高さ位置に合うように前記本体部において変位され、前記左側バー部が左肩甲骨の２つの所定箇所の高さ位置に合うように前記本体部において変位され、前記右側バー部に対する前記右肩甲骨の所定箇所の位置が計測されることにより、前記右肩甲骨の所定箇所の水平方向のＸ軸上での位置が測定されるとともに、前記本体部に対する前記右側バー部の位置が計測されることにより、前記右肩甲骨の所定箇所の高さ方向のＹ軸上での位置が測定され、前記左側バー部に対する前記左肩甲骨の所定箇所の位置が計測されることにより、前記左肩甲骨の所定箇所の水平方向のＸ軸上での位置が測定されるとともに、前記本体部に対する前記左側バー部の位置が計測されることにより、前記左肩甲骨の所定箇所の高さ方向のＹ軸上での位置が測定され、前記右肩甲骨および前記左肩甲骨の所定箇所のＸ軸・Ｙ軸上での位置変化が前記２つの所定箇所のそれぞれについて測定されることによって、前記右肩甲骨および前記左肩甲骨の水平方向および高さ方向の位置変化が測定されることを特徴とする。
これによれば、右肩甲骨または左肩甲骨の水平方向の位置と高さ方向の位置を簡単かつ確実に測定することができる。
また、本発明は、前記バー部に、水平方向に摺動されることにより測定位置を指示するバー部用指示部材が設けられる。
【手続補正３】
【補正対象書類名】明細書
【補正対象項目名】００１１
【補正方法】変更
【補正の内容】
【００１１】
前記本体部または前記バー部に位置測定手段が設けられ、前記バー部に対する右または左の肩甲骨の所定箇所の位置が前記位置測定手段で計測されることにより、前記肩甲骨の所定箇所の水平方向のＸ軸上での位置が測定されるとともに、前記本体部に対する前記バー部の位置が前記位置測定手段で計測されることにより、前記肩甲骨の所定箇所の高さ方向のＹ軸上での位置が測定されてもよい。なお、この位置測定手段とは、レーザや超音波などを利用して距離を計測するものなど、電気的、光学的または超音波的な方法により位置を測定するものである。これによれば、電気的、光学的または超音波方法により、右肩甲骨または左肩甲骨の水平方向の位置と高さ方向の位置を客観的な数値で精度良く測定することができる。
【手続補正４】
【補正対象書類名】明細書
【補正対象項目名】００１２
【補正方法】変更
【補正の内容】
【００１２】
前記位置測定手段により測定された測定値または当該測定値に基づいて測定された前記肩甲骨の水平方向および高さ方向の位置変化を表示する測定値表示部が設けられてもよい。これによれば、ユーザは、位置測定手段の測定値表示部を確認することにより、右肩甲骨または左肩甲骨の水平方向の位置と高さ方向の位置を容易に把握することができる。
【手続補正５】
【補正対象書類名】明細書
【補正対象項目名】００２１
【補正方法】変更
【補正の内容】
【００２１】
また、本発明に係る肩甲骨位置測定方法は、高さ方向に延びる態様の本体部と、前記本体部の右方向または左方向に延びる態様で設けられるバー部とを備える肩甲骨位置測定器具を用いた肩甲骨測定方法であって、前記肩甲骨測定器具の本体部を被験者の脊柱に沿って配置するとともに、前記バー部を当該バー部に対応する右または左の肩甲骨の２つの所定箇所のそれぞれの高さ位置に合うように前記本体部において変位させ、前記バー部に対する前記所定箇所の位置を計測することにより、前記所定箇所の水平方向のＸ軸上での位置を測定するとともに、前記本体部に対する前記バー部の位置を計測することにより、前記所定箇所の高さ方向のＹ軸上での位置を測定し、前記所定箇所のＸ軸・Ｙ軸上での位置変化を前記２つの所定箇所のそれぞれについて測定することによって、前記肩甲骨の水平方向および高さ方向の位置変化を測定することを特徴とする。